(57)【要約】【課題】１つ以上の呼び掛け信号に応答するフォブを提供すること。【解決手段】トランスポータリーダ支払システムは、トランスポンダ（１０２）を呼び掛けるための、トランスポンダ（１１４）およびＲＦＩＤリーダ（１１４）を含むフォブ（１０２）を含む。システムは、フォブ（１０２）およびリーダ（１０４）の相互認証の間、ならびにトランザクションを完了するために、情報ならびにセキュリティおよび認証キーを識別するフォブ（１０２）およびＲＦＩＤリーダ（１０４）上に集めるためのパーソナリザーションシステム（１３４）をさらに含み得る。例示的な動作では、フォブ（１０２）およびＲＦＩＤリーダ（１０４）は、相互認証において連携し得、情報を識別するフォブ（１０２）は、取引の完了のためにリーダ（１０４）に提供され得る。【選択図】図１Ａ
2007066316.tif 000002
【特許請求の範囲】
【請求項１】
無線周波数（ＲＦ）呼掛け信号に応答するように動作可能な取引デバイスを備えた取引システムであって、
該取引デバイスは、
呼掛け信号を受信し、金融取引アカウントデータを搬送する応答信号を送信するように構成されたトランスポンダであって、該金融取引アカウントデータは、アカウント番号とアカウント期限日とを含む、トランスポンダと、
該呼掛け信号を認証するために該トランスポンダと通信する取引デバイス認証回路と、
該金融取引アカウントデータを格納するように構成された取引デバイスデータベースであって、該金融取引アカウントデータを提供するために該取引デバイス認証回路と通信する取引デバイスデータベースと
を備える、取引システム。
【発明の詳細な説明】
【技術分野】
【０００１】
（発明の分野）
本発明は、一般的には、取引を完了させるシステムおよび方法に関し、より詳細には、接触および非接触取引における無線周波数識別（ＲＦＩＤ）を用いた金融取引を完了させるシステムおよび方法に関する。
【背景技術】
【０００２】
（発明の背景）
バーコードおよびボイスデータエントリのように、ＲＦＩＤは非接触情報取得技術である。ＲＦＩＤシステムは、ワイヤレスであり、通常、従来の取得方法が失敗する敵対環境において、極めて効果的である。ＲＦＩＤは、例えば、線路コンテナの高速リーディング、家畜または自動車等の移動物体のトラッキング、および小売在庫アプリケーション等の広範囲の市場において確立した。そのため、ＲＦＩＤ技術は、世界規模の自動化データ収集、識別および解析システムにおいて、主要な焦点となった。
【０００３】
近年、企業は、金融取引を完了させる際に用いるために、フォブまたはタグのＲＦＩＤデータ取得技術を益々利用している。典型的なフォブは、トランスポンダを含み、通常は、任意の携帯形式のファクタに含まれ得る内蔵型デバイスである。いくつかの例では、トランスポンダに電力供給するバッテリが、フォブと共に含まれる。この場合、フォブの内部回路（トランスポンダを含む）は、バッテリ電力源から動作電力を引き出し得る。もしくは、フォブは、内部電力源と独立して存在し得る。この例では、フォブの内部回路（トランスポンダを含む）は、直接ＲＦ呼び掛け信号から動作電力を獲得し得る。Ｓｃｈｕｅｒｍａｎｎに発行された米国特許第５，０５３，７７４号は、従来技術において見出され得る典型的なトランスポンダＲＦ呼び掛けシステムについて記載している。Ｓｃｈｕｅｒｍａｎｎ特許は、一般的に、従来のトランスポンダ構造の周辺の電力供給技術について記載している。米国特許第４，７３９，３２８号は、従来のトランスポンダがＲＦ呼び掛け信号に応答し得る方法について、議論している。利用され得る他の典型的な変調技術は、例えば、ＩＳＯ／ＩＥＣ１４４４３等を含み得る。
【０００４】
利用される従来のフォブ電力供給技術において、フォブは、典型的には、呼び掛け信号にフォブが存在する場合に起動される。この点では、フォブは、ユーザがこの起動を望むかどうかに無関係に起動され得る。フォブの不注意に存在すると、その結果、望まれない取引の開始および完了が生じ得る。従って、望まれない取引が完了することを制限するために、フォブユーザがフォブの起動を制御し得るフォブシステムが、必要とされる。
【０００５】
ＲＦＩＤ技術のより明白な用途の１つが、Ｅｘｘｏｎ／ＭｏｂｉｌのＳｐｅｅｄｐａｓｓ（登録商標）およびＳｈｅｌｌのＥａｓｙＰａｙ（登録商標）製品の導入により、見出される。これらの製品は、フォブがポイントオブセール（ＰＯＳ）デバイスに存在する時にユーザの自動識別を可能にするフォブまたはタグに配置されるトランスポンダを利用する。フォブ識別データは、典型的には、第３者のサーバデータベースに送られる。このデータベースでは、識別データは、カスタマー（例えば、ユーザ）のクレジットまたはデビットアカウントを参照する。例示的な処理方法では、サーバは、取引およびアカウントデータを、認可するエンティティに送信することによって、取引のための認可を求める。一旦、認可がサーバにより受信されると、決済（ｃｌｅａｒａｎｃｅ）が取引の完了のために、ポイントオブセールデバイスに送信される。このように、従来の取引処理方法は、第３者のサーバの利用による不必要なオーバーヘッドを生じさせる間接パスを含む。
【０００６】
必要とされるのは、第３者のサーバの利用と関連するコストを排除しながらフォブ取引を認可させ得る取引認可システムである。
【０００７】
さらに、従来のフォブは、それらがポイントオブセールデバイスの近傍で利用されなくてはならないとう点で、制限される。すなわち、フォブの起動のために、従来のフォブは、ＲＦ呼び掛け信号による送信キャスト内に配置されなくてはならない。より詳細には、従来のフォブは、ユーザがコンピュータインターフェース等の相互作用のポイントで取引を導くことを望む状況での利用に対しては、効果的ではない。
【０００８】
従って、必要とされるのは、ポイントオブセールデバイスにおいて利用可能であり、さらに、ネットワーク（例えば、インターネット）に接続されるコンピュータインターフェースを介した取引を容易にすることができる、ＲＦＩＤ取得技術を利用するフォブである。
【０００９】
既存のトランスポンダ−リーダ支払いシステムはまた、本システムで利用される従来のフォブが、１つの呼び掛け信号にのみ応答するという点において、制限される。従って、複数の呼び掛け信号が利用される場合、フォブは、フォブが構成される呼び掛け信号にのみ応答する。システムのＲＦＩＤリーダが、フォブが互換性のない呼び掛け信号のみを提供する場合、フォブは、適切に起動されない。
【００１０】
従って、必要とされるのは、１つ以上の呼び掛け信号に応答するフォブである。
【発明の開示】
【課題を解決するための手段】
【００１１】
（発明の要旨）
本明細書中に記載されるのは、金融取引を開始および完了させるためにＲＦＩＤ技術を用いるシステムおよび方法である。本明細書中に記載されるトランスポンダ−リーダ支払いシステムは、トランスポンダシステムに電力供給し、トランスポンダシステムＲＦ信号を受信し、かつ、トランスポンダシステムＲＦ信号に関連するトランスポンダシステムアカウントデータを提供するために、ＲＦ呼び掛け信号を提供するように動作するＲＦＩＤリーダを備え得る。トランスポンダ−リーダ支払いシステムは、呼び掛け信号をトランスポンダに提供する１つ以上のインタロゲータとの電子通信におけるＲＦＩＤプロトコル／シーケンスコントローラ、トランスポンダから受信した信号を認証するＲＦＩＤ認証回路、相互作用デバイスのポイントとインターフェースするシリアルまたはパラレルインターフェース、ならびにＲＦＩＤリーダおよび／またはトランスポンダをパーソナライズする際に利用するためのＵＳＢまたはシリアルインターフェースを備え得る。トランスポンダ−リーダ支払いシステムは、さらに、呼び掛け信号に応答し、トランスポンダおよび／またはＲＦＩＤリーダがトランスポンダ−リーダ支払いシステム内での動作が認可されていることを検証する認証信号を提供する、１つ以上のトランスポンダ（例えば、モジュール）を含むフォブを備え得る。このように、トランスポンダは、異なる周波数で提供される複数の呼び掛け信号に応答し得る。さらに、トランスポンダは、コンピュータネットワークまたはＲＦＩＤリーダ共に利用するために、ＵＳＢまたはシリアルインターフェースを備え得る。
【００１２】
本発明によるＲＦＩＤシステムおよび方法は、呼び掛けのために存在し得る、フォブ、タグ、カードまたは任意の他の形式ファクタ（例えば、腕時計、キーチェーン、携帯電話等）で実現され得るＲＦＩＤ準備端末およびトランスポンダを備え得る。この点では、トランスポンダがフォブ内に実施されるように本明細書中に記載されるが、本発明は、これに限定されない。
【００１３】
システムは、さらに、無線周波数（または電磁気）伝播を介してＲＦＩＤリーダから送信され得るスタンディングＲＦＩＤ認定信号を送信するように構成される、ＲＦＩＤリーダを備える。フォブは、ＲＤＩＤリーダに近隣に配置され得ることにより、ＲＦＩＤ信号は、フォブを呼び掛け、フォブ識別プロシージャを開始させる。
【００１４】
ある例示的実施形態において、識別プロセスの一部として、フォブおよびＲＦＩＤリーダは、相互認証に連携し得る。ＲＦＩＤリーダは、暗号化された情報を受信し、フォブメモリにその情報を格納する認可されたシステムトランスポンダを含むように、フォブを識別し得る。同様に、ＲＦＩＤリーダによる呼び掛け時に、暗号化され、かつ、格納された情報の受信を認可されるように、ＲＦＩＤリーダを識別し得る。ＲＦＩＤリーダおよびフォブは、首尾よく相互認証する場合、フォブは、フォブが関連する取引アカウント（単数または複数）を識別する特定の情報を、ＲＦＩＤリーダへ送信し得る。ＲＦＩＤリーダは、情報を受信し、かつ、情報を転送して、取引の完了を容易にする。ある例示的実施形態では、ＲＦＩＤリーダは、取引完了のために相互作用デバイス（例えば、ＰＯＳまたはコンピュータインターフェース）のポイントに情報を転送し得る。本明細書中に記載される相互認可プロセスは、フォブトランスポンダ−リーダ支払いシステムセキュリティの保証に役立つ。
【００１５】
別の例示的実施形態では、本発明によるフォブは、コンピュータインターフェースを介して取引を完了させる手段を備える。フォブは、ＵＳＢまたはシリアルインターフェースを用いてコンピュータに接続され得、フォブアカウント情報は、ネットワーク（例えば、インターネット）を介して取引を完了させる際に利用するために、コンピュータに送信され得る。
【００１６】
本システムおよび方法のこれらの特徴および他の利点、ならびに、本システムおよび方法の様々な例示的実施形態の構造および動作が、以下に説明される。
【発明を実施するための最良の形態】
【００１７】
（詳細な説明）
添付の図面（同じ番号は同じ要素を示す）は、本発明の例示的実施形態を示し、説明と共に、本発明の原理の説明を提供する。
【００１８】
本発明は、機能的ブロックコンポーネント、スクリーンショット、選択的選択および様々な処理ステップに関して、本明細書中に記載され得る。このような機能的ブロックは、特定の機能に対して実行するように構成される任意の数のハードウェアおよび／またはソフトウェアコンポーネントによって実現され得る。例えば、本発明は、１つ以上のマイクロプロセッサまたは他の制御デバイスの制御下で様々な機能を実行し得る、様々な集積回路コンポーネント、例えば、メモリ要素、処理要素、ロジック要素、ルックアップテーブル等を利用し得る。同様に、本発明のソフトウェア要素は、Ｃ、Ｃ＋＋、Ｊａｖａ（登録商標）、ＣＯＢＯＬ、アセンブラ、ＰＥＲＬ、拡張可能マークアップ言語（ＸＭＬ）等の任意のプログラミング言語またはスクリプト言語で実装され得、様々なアルゴリズムを有するＪａｖａ（登録商標）ＣａｒｄおよびＭＵＬＴＯＳは、データ構造、オブジェクト、プロセス、ルーティンまたは別のプログラミング要素の任意の組み合わせで実装される。さらに、尚、本発明は、データ送信、シグナリング、データ処理、ネットワーク制御等の任意の数の従来技術を利用し得る。暗号化における基本的導入のために、本明細書中で参照として援用される、Ｊｏｈｎ  Ｗｉｌｅｙ＆Ｓｏｎｓにより公開された「Ａｐｐｌｉｅｄ  Ｃｒｙｐｔｏｇｒａｐｈｙ：  Ｐｒｏｔｏｃｏｌｓ，  Ａｌｇｏｒｉｔｈｍｓ，  ａｎｄ  Ｓｏｕｒｃｅ  Ｃｏｄｅ  ｉｎ  Ｃ」（第２版、１９９６）と称されるＢｒｕｃｅ  Ｓｃｈｎｅｉｅｒにより執筆されたテキストをレビューされたい。
【００１９】
さらに、本発明の多くのアプリケーションが公式化され得る。本明細書中に開示される例示的ネットワークは、インターネット、イントラネット、エクストラネット、ＷＡＮ、ＬＡＮ、および／または衛星通信等のデータ交換またはビジネス取引のための任意のシステムを含み得る。尚、ネットワークは、双方向テレビネットワーク（ＩＴＮ）等の他のタイプのネットワークとして実装され得る。
【００２０】
要求される場合、システムユーザは、キーパッド、キーボード、マウス、キオスク、パーソナルデジタルアシスタント、ハンドヘルドコンピュータ（例えば、Ｐａｌｍ  Ｐｉｌｏｔ（登録商標）、Ｂｌｕｅｂｅｒｒｙ（登録商標））、および／またはセルラーフォン等の任意の入力デバイスを介して、システムと相互作用し得る。同様に、本発明は、Ｗｉｎｄｏｗｓ（登録商標）、Ｗｉｎｄｏｗｓ（登録商標）  ＮＴ、Ｗｉｎｄｏｗｓ（登録商標）２０００、Ｗｉｎｄｏｗｓ（登録商標）９８、Ｗｉｎｄｏｗｓ（登録商標）９５、ＭａｃＯＳ、ＯＳ／２、ＢｅＯＳ、Ｌｉｎｕｘ、ＵＮＩＸ（登録商標）、Ｓｏｌａｒｉｓ等の任意のバージョンの任意のオペレーティングシステムを実行させる任意のタイプのパーソナルコンピュータ、ネットワークコンピュータ、ワークステーション、ミニコンピュータ、メインフレーム等と連動して利用され得る。さらに、本発明は、多くの場合、ＴＣＰ／ＩＰ通信プロトコルで実装されるように記載され得るが、本発明はまた、ＳＮＡ、ＩＰＸ、Ａｐｐｌｅｔａｌｋ、ＩＰｔｅ、ＮｅｔＢＩＯＳ、ＯＳＩまたは任意の数の通信プロトコルを用いて実装され得ることを理解されたい。さらに、システムは、本明細書中に記載されるのと同様の機能性を有する任意のネットワークを介して、任意の商品、サービス、または情報の利用、販売、または分配を予期する。
【００２１】
図１Ａは、本発明による例示的ＲＦＩＤ取引システム１００Ａを示し、ここで、フォブ取引を完了させる際に利用するための例示的コンポーネントが示される。一般的に、システム１００Ａの動作は、フォブ１０２が支払いのために表示される際に開始し得、かつ、ＲＦＩＤリーダ１０４、あるいはインターフェース１３４により呼び掛けられる。フォブ１０２およびＲＦＩＤリーダ１０４は、相互認証に連携し得、受動認証の後、トンランスポンダ１０２は、トランスポンダ識別および／またはアカウント識別子をＲＦＩＤリーダ１０４に提供し得、ＲＦＩＤリーダ１０４は、商取引システム１３０ＰＯＳデバイス１１０へさらに情報を提供し得る。
【００２２】
システム１００Ａは、フォブ１０２とのＲＦ通信におけるトランスポンダ１１４およびＲＦＩＤリーダ１０４を有するフォブ１０２を含み得る。本発明は、フォブ１０２に関して記載されるが、本発明はそれに制限されるべきではない。実際に、システム１００は、ＲＦ通信を介してＲＦＩＤリーダ１０４と通信するように構成されるトランスポンダを有する任意のデバイスを含み得る。典型的なデバイスは、例えば、キーリング、タグ、カード、携帯電話、腕時計または呼び掛けのために表現され得る任意のそのような形式を含み得る。
【００２３】
ＲＦＩＤリーダ１０４は、ＲＦＩＤ内部アンテナ１０６を用いて通信するように構成され得る。もしくは、ＲＦＩＤリーダ１０４は、フォブ１０２との通信のための外部アンテナ１０８を含み得、ここで、外部アンテナは、適切なケーブルおよび／またはデータリンク１２０を用いてＲＦＩＤリーダ１０４に対して遠隔に置かれ得る。ＲＦＩＤリーダ１０４は、データリンク１２２を介して商取引システム１３０とさらに通信し得る。システム１００Ａは、例えば、商取引ポイントオブセール（ＰＯＳ）デバイス１１０またはコンピュータインターフェース（例えば、ユーザインターフェース）１３４等の相互作用デバイスのポイントを含む、取引完了システムを含み得る。ある例示的実施形態では、取引完了システムは、（データリンク１２２を介して）ＲＦＩＤリーダ１０４と通信するＰＯＳデバイス１１０を含む商取引システム１３０を含み得る。以下により十分に記載されるように、取引完了システムは、ネットワーク１３６と接続され、かつ、ＵＳＢコネクタ１３２
を介してトランスポンダと接続されるユーザインターフェース１３４を含み得る。
【００２４】
相互作用デバイスのポイントは、商取引ポイントオブセール（ＰＯＳ）デバイスと関連して本明細書中に記載されるが、本発明は、それに制限されるべきではない。実際に、商取引ＰＯＳデバイスは、本明細書中で一例として利用され、相互作用デバイスのポイントは、フォブアカウントデータを受信可能な任意のデバイスであり得る。この点では、ＰＯＳは、ユーザにフォブ１０２を用いて取引を完了させることができる相互作用デバイスの任意のポイントであり得る。ＰＯＳデバイス１１０は、少なくともカスタマー識別検証情報を入力する（データリンク１２８を介して）ためのカスタマインターフェース１１８とさらに通信し得る。さらに、ＰＯＳデバイス１１０は、任意の取引リクエストを処理するための商取引ホストネットワーク１１２と（データリンク１２４を介して）通信し得る。この配置では、ＲＦＩＤリーダ１０４に提供される情報は、データリンク１２２を介して商取引システム１３０のＰＯＳデバイス１１０に提供される。ＰＯＳデバイス１１０は、情報を受信し得（もしくは、データリンク１２８を介してカスタマインターフェース１１８から任意の識別情報を受信し得る）、かつ、処理のためのホストシステム１１２へ情報を提供する。
【００２５】
様々な従来の通信メディアおよびプロトコルは、データリンク１２０、１２２、１２４、および１２８に対して利用され得る。例えば、データリンク１２０、１２２、１２４、および１２８は、標準的モデム通信、ケーブルモデム、ディッシュネットワーク、ＩＳＤＮ、デジタルサブスクライバライン（ＤＳＬ）、または任意のワイヤレス通信メディアと典型的には関連して利用されるような、ローカルループを介した通信を容易にするように構成される、インターネットサービスプロバイダ（ＩＳＰ）であり得る。さらに、ＰＯＳデバイス１１０およびホストネットワーク１１２を含む商取引システム１３０は、意図された取引のリモート認可のために、リモートネットワーク（示されない）とインターフェースするローカルエリアネットワークに常駐し得る。商取引システム１３０は、Ｔ１またはＤ３ライン等の専用回線を介して、リモートネットワークと通信し得る。このような通信回線は、本明細書中で参照として援用される、Ｇｉｌｂｅｒｔ  Ｈｅｌｄによる「Ｕｎｄｅｒｓｔａｎｄｉｎｇ  Ｄａｔａ  Ｃｏｍｍｕｎｉｃａｔｉｏｎｓ」等の様々なテキストにおいて記載される。
【００２６】
アカウントナンバーは、本明細書で用いられるように、取引アカウントプロバイダ（例えば、支払い認可センタ）により維持され得、金融取引を完了させるために利用され得るアカウント（例えば、クレジット、チャージデビット、チェック、貯金、報酬、ロイヤルティー等）の任意の識別子を含み得る。典型的なアカウントナンバー（例えば、アカウントデータ）は、Ａｍｅｒｉｃａｎ  Ｅｘｐｒｅｓｓ、Ｖｉｓａ、および／またはＭａｓｔｅｒＣａｒｄのようなエンティティにより維持されかつサービスされるクレジットまたはデビットアカウント、ロイヤルティーアカウント、あるいは報酬アカウントに関連する。理解を簡単にするために、本発明は、クレジットアカウントに関して説明され得る。しかし、本発明は、それに限定されることなく、アカウントデータ値に対する商品およびサービスの交換を認める他のアカウントは、本発明の範囲内に収まることが予期される。
【００２７】
さらに、アカウントナンバー（例えば、アカウントデータ）は、消費者にシステムと相互作用または通信させ得るように適切に構成される任意のデバイスコード、または他の識別子／認印、例えば、認可／アクセスコード、個人識別番号（ＰＩＮ）、インターネットコード、デジタル認証、バイオメトリックデータ、および／または他の識別認印と関連し得る。アカウントナンバーは、報酬カード、チャージカード、クレジットカード、デビットカードプリペイドカード、テレフォンカード、スマートカード、磁気ストライプカード、および／またはバーコードカード等に選択的に配置され得る。アカウントナンバーは、第２のデバイスにデータを送信およびダウンロード可能なプラスチック、電気、磁気、お
よび／または光学デバイスの任意の形式で分配および格納され得る。カスタマーアカウントナンバーは、例えば、１６桁クレジットカードナンバーであってもよいが、各クレジットプロバイダは、Ａｍｅｒｉｃａｎ  Ｅｘｐｒｅｓｓで利用される１５桁ナンバリングシステムのような専用のナンバリングシステムを有する。各社のクレジットカードナンバーは、その企業の標準化された形式に従うことにより、１６桁形式を利用する企業は、一般的に、ナンバー「００００  ００００  ００００  ００００」で表わされるような４つに区切られたナンバーのセットを利用する。典型的な例では、最初の５から７桁は、処理目的で確保され、発行銀行、カードタイプ等を識別する。この例では、最後の１６番目の桁は、１６桁ナンバーの加算チェックとして利用される。中間の８から１０桁は、カスタマーを一意に識別するために利用される。アカウントナンバーは、ＩＳＯ／ＩＥＣ７８１３で規定されるようなトラック１およびトラック２データに格納され、さらに、フォブ１０２に対して固有となり得る。ある例示的実施形態では、アカウントナンバーは、固有のフォブシリアルナンバーおよびユーザ識別番号ならびに特定のアプリケーションアプレットを含み得る。アカウントナンバーは、以下により十分に説明されるように、データベース２１４内のフォブ１０２に格納され得る。データベース２１４は、インスティチューションを提供する同一または異なるアカウントによって、フォブ１０２ユーザに対して発行された複数のアカウントナンバーを格納するように構成され得る。アカウントデータがロイヤルティーまたは報酬アカウントに対応する場合、データベース２１４は、付随するロイヤルティーまたは報酬ポイントデータを格納するように構成され得る。
【００２８】
図２は、本発明による例示的フォブ１０２の多くの機能的ブロックのブロック図である。フォブ１０２は、商品またはサービスの受領に対する資金またはポイントの交換を容易にするために、ユーザにより表示され得るＲＦＩＤフォブ１０２であり得る。本明細書中に示されるように、例えば、フォブ１０２は、商品および／またはサービスの支払いを容易にするために表示され得るＲＦＩＤフォブであり得る。
【００２９】
フォブ１０２は、アンテナ１０６を介して（もしくは、外部アンテナ１０８を介して）ＲＦＩＤリーダ１０４から呼び掛け信号を受信するアンテナ２０２を含み得る。フォブアンテナ２０２は、トランスポンダ１１４と通信し得る。ある例示的実施形態では、トランスポンダ１１４は、ＩＳＯ／ＩＥＣ１４４４３規格に準拠する１３．５６ＭＨｚトランスポンダであり得、アンテナ２０２は、１３ＭＨｚの種類であり得る。トランスポンダ１１４は、トランスポンダ１１４から信号を受信するように構成され、かつ、任意の後で接続される回路により読み出し可能な形式へ信号を変調するように構成される変調器／復調器２０６と互換性のあるトランスポンダと通信し得る。さらに、変調器／復調器２０６は、アンテナ２０２を介してＲＦＩＤリーダ１０４に送信するトランスポンダ１１４と互換性のある形式で、後で接続される回路から受信した信号をフォーマット（例えば、復調）するように構成され得る。例えば、トランスポンダ１１４が１３．５６ＭＨｚの種類である場合、変調器／復調器２０６は、ＩＳＯ／ＩＥＣ１４４４３−２準拠し得る。
【００３０】
変調器／復調器２０６は、ＲＦＩＤリーダ１０４により提供される信号の認証の制御を容易にし、かつ、フォブ１０２アカウントナンバーの送信の制御を容易にするプロトコル／シーケンスコントローラ２０８に接続され得る。この点では、プロトコル／シーケンスコントローラ２０８は、フォブ１０２内部回路の動作のシーケンスの決定を容易にすることが可能な任意の適切なデジタルまたは論理駆動回路であり得る。例えば、プロトコル／シーケンスコントローラ２０８は、ＲＦＩＤリーダにより提供された信号が認証されているかどうかを判定するように構成され得、それにより、ＲＦＩＤリーダ１０４にフォブ１０２に格納されるアカウントナンバーを提供する。
【００３１】
プロトコル／シーケンスコントローラ２０８は、さらに、ＲＦＩＤリーダ１０４により提供される信号の認証を容易にする認証回路２１０と通信し得る。認証回路は、さらに、
不揮発性セキュアメモリデータベース２１２と通信し得る。セキュアメモリデータベース２１２は、ＩＳＯ／ＩＥＣ７８１６−４により規定されるような任意の適切な基本ファイルシステム、またはチップ上のアプリケーションによりインタプリタされるデータのルックアップを可能にする任意の他の基本ファイルシステムであり得る。データベース２１２は、関連、階層、および／またはオブジェクト指向等の任意のタイプのデータベースであり得る。データベースを実装するために利用され得る共通のデータベース製品は、ＩＢＭ（Ｗｈｉｔｅ  Ｐｌａｉｎｓ，ＮＹ）のＤＢ２、Ｏｒａｃｌｅ  Ｃｏｒｐｏｒａｔｉｏｎ（Ｒｅｄｗｏｏｄ  Ｓｈｏｒｅｓ，  ＣＡ）から市販される任意のデータベース製品、Ｍｉｃｒｏｓｏｆｔ  Ｃｏｒｐｏｒａｔｉｏｎ（Ｒｅｄｍｏｎｄ，Ｗａｓｈｉｎｇｔｏｎ）Ｍｉｃｒｏｓｏｆｔ  ＡｃｃｅｓｓまたはＭＳＳＱＬ、あるいは任意のほかのデータベース製品を含む。データベースは、データテーブルまたはルックアップテーブル等を含む、任意の適切な態様で整理され得る。あるデータの連関は、公知であり従来から用いられている任意のデータ連関技術により達成され得る。例えば、連関は、手動または自動のどちらかで達成され得る。自動連関技術は、例えば、データベース検索、データベースマージ、ＧＲＥＰ、ＡＧＲＥＰ、および／またはＳＱＬ等を含み得る。連関ステップは、例えば、製造業者および小売店のデータテーブルの各々における「キーフィールド」を利用して、データベースマージ機能により達成され得る。「キーフィールド」は、キーフィールドにより規定されるオブジェクトの上位クラスに応じて、データベースを区切る。例えば、あるクラスは、第１のデータテーブルおよび第２のデータテーブルの両方のキーフィールドとして設計され得、第２のデータテーブルは、キーフィールドのクラスデータを基にマージされ得る。この実施形態では、マージされたデータテーブルの各々のキーフィールドに対応するデータは、好ましくは同一である。しかし、キーフィールドに同一でなくとも同様のデータを有するデータテーブルは、例えば、ＡＧＲＥＰを利用してマージされ得る。
【００３２】
データは、データ解析のためにプロトコル／シーケンスコントローラ２０８により利用され、管理および制御の目的、ならびにセキュリティの目的で利用され得る。認証回路は、ＲＦＩＤ信号の連関によりＲＦＩＤリーダ１０４により提供される信号を、データベース２１２に格納される認証キーに対して認証し得る。暗号化回路は、データベース２１２に格納されるキーを利用して、ＲＦＩＤリーダ１０４へまたはそこから送信される信号の暗号化および／または復号化を実行し得る。
【００３３】
さらに、プロトコル／シーケンスコントローラ２０８は、少なくともフォブ１０２アカウントデータ、および固有のフォブ１０２識別コードを格納するデータベース２１４と通信し得る。プロトコル／シーケンスコントローラ２０８は、望まれるようにデータベース２１４からアカウントナンバーを取り出すように構成され得る。データベース２１４は、上述のデータベース２１２と同一の構成であり得る。データベース２１４に格納されるフォブアカウントデータおよび／または固有のフォブ識別コードは、格納の前に暗号化され得る。従って、プロトコル／シーケンスコントローラ２０８がアカウントデータ、および／または固有のフォブ識別コードをデータベース２１４から取り出す場合、アカウントナンバーは、ＲＦＩＤリーダ１０４に提供される際に暗号化され得る。さらに、データベース２１４に格納されるデータは、例えば、暗号化されていない固有のフォブ１０２識別コード、ユーザ識別、トラック１および２データ、ならびに特定アプリケーションアプレットを含み得る。
【００３４】
フォブ１０２は、ＲＦＩＤリーダ１０４により提供される複数の呼び掛け周波数送信に応答するように構成され得る。すなわち、以下により十分に説明されるように、ＲＦＩＤリーダ１０４は、１つより多いＲＦ呼び掛け信号を提供し得る。この場合、フォブ１０２は、フォブ１０２に１以上のさらなるＲＦ信号受信／送信ユニット２２６を含むことにより、複数の周波数に応答するように構成され得る。ＲＦ信号受信／送信ユニット２２６は
、アンテナ２１８およびトランスポンダ２２０を含み得、ここで、アンテナ２１８およびトランスポンダ２２０は、ＲＦＩＤリーダ１０４により提供されるさらなるＲＦ信号の少なくとも１つと互換性がある。例えば、ある実施形態では、フォブ１０２は、１３４ＫＨｚトランスポンダ２２０と通信するように構成される１３４ＫＨｚアンテナ２１８を含み得る。この例示的構成では、ＩＳＯ／ＩＥＣ１４４４３−２準拠変調器／復調器は、なくてもよい。代わりに、１３４ＫＨｚトランスポンダは、上述される認証およびアカウントナンバー信号の送受信のためのプロトコル／シーケンスコントローラ２０８と直接通信するように構成され得る。
【００３５】
別の実施形態では、フォブ１０２は、フォブ１０２をユーザインターフェース１３４とインターフェースさせるために、ユニバーサルシリアルバス（ＵＳＢ）コネクタ１３２をさらに含み得る。ユーザインターフェース１３４は、ネットワーク１３６を介してＰＯＳデバイス１１０と通信し得る。ネットワーク１３６は、ネットワーク１１２に関連して上述されたように、インターネット、またはイントラネット等であり得る。さらに、ユーザインターフェース１３４は、システムユーザにシステムと相互作用させ得る、上述された任意の従来の入力デバイスおよび／またはコンピューティングシステムと、構成において同様であり得る。ある例示的実施形態では、フォブ１０２は、オンラインインターネット支払いを容易にするように構成され得る。ＵＳＢコンバータ２２２は、変調器／復調器２０６とＵＳＢコネクタ１３２との間の情報の伝達を容易にするために、ＵＳＢコネクタ２３２と通信し得る。あるいは、ＵＳＢコンバータ２２２は、プロトコル／シーケンスコントローラ２０８とＵＳＢコネクタ１３２との間の情報の伝達を容易にするために、プロトコル／シーケンスコントローラ２０８と通信し得る。
【００３６】
フォブ１０２がＵＳＢコネクタ１３２を含む場合、フォブ１０２は、例えば、ユーザインターフェース１３４におけるＵＳＢポートと通信し得る。フォブ１０２から取り出される情報は、インターネット上で双方向アプリケーションの利用を可能にするクレジットカードおよび／またはスマートカード技術と互換性を持ち得る。ユーザインターフェース１３４のＵＳＢポートとネットワーク１３６とを利用して、ＰＯＳデバイス１１０へ接続され得るので、ＲＦＩＤリーダは、この実施形態においては必要とされない。
【００３７】
フォブ１０２は、ユーザによるフォブの起動を可能にする手段を含み得る。ある例示的実施形態では、フォブのユーザにより操作され得るスイッチ２３０である。フォブ１０２のスイッチ２３０は、特定の用途でフォブ１０２を選択的または包括的に起動するために利用され得る。この文脈では、用語「選択的」が意味するのは、スイッチ２３０により、ユーザが特定の動作モードでフォブ１０２を配置可能であるということである。例えば、ユーザは、選択されたアカウントナンバーを利用して商品またはサービスの購入を可能にするモードで、フォブ１０２を配置し得る。もしくは、フォブは、フォブアカウントナンバーがＵＳＢポート１３２（またはシリアルポート）のみにより提供され、かつ、フォブトランスポンダ１１４が無効化されるようなモードで、配置され得る。さらに、用語「包括的」が意味するのは、フォブ１０２がＲＦ呼び掛けおよびＵＳＢコネクタ１３２を介した呼び掛けに応答可能にする動作モードで、フォブ１０２が配置されるということである。ある特定の実施形態では、スイッチ２３０は、フォブ１０２に関連する１つ以上のアプリケーションまたはアカウントが、ＲＦＩＤリーダ１０４により発行される任意のコマンドに対して非反応的であることを保証するＯＦＦ位置にあるままであり得る。本明細書中で用いられるように、ＯＦＦ位置は、起動スイッチ２３０の「ノーマル」位置を意味し得るが、他のノーマル位置は考慮されない。
【００３８】
別の例示的実施形態では、スイッチ２３０がＯＦＦ位置から移動される際に、フォブ１０２は、ユーザによって起動されたと判断される。すなわち、スイッチ２３０は、フォブをＲＦ信号（例えば、ＲＦＩＤリーダ１０４からのコマンド）に応答可能にするために、
フォブ１０２の内部回路を起動し得る。このように、スイッチ２３０は、フォブ１０２のアクティブおよびインアクティブ状態の制御を容易にし得る。このような制御は、フォブ１０２の不注意または不正な利用を回避することによって、システムセキュリティを増大させる。
【００３９】
ある実施形態では、スイッチ２３０は、フォブがＲＦＩＤリーダによって電力供給されることを電気的に妨げ得る回路との通信において、単なる機械的デバイスであり得る。すなわち、スイッチ２３０がそのノーマル位置である時、スイッチ２３０は、フォブ１０２内部回路へショートを提供し得、フォブ１０２が、ＲＦによる、またはＵＳＢコネクタ２３０を介した呼び掛けに応答することを妨げる。この構成では、スイッチ２３０は、アンテナ２０２のインターフェースのアンテナ２０２とトランスポンダ１１４とに電気的に接続され得る、例えば、「ノーマルクローズド」（ＮＣ）構成スイッチであり得る。スイッチ２３０は押圧され得、完全にアンテナ２０２を起動するスイッチ２３０をオープンし得る。
【００４０】
さらに別の例示的実施形態では、フォブ１０２は、フォブ１０２ユーザからバイオメトリック信号を提供される際にスイッチ２３０として動作し、かつフォブ１０２を起動するように構成されるバイオメトリックセンサおよびバイオメトリック膜（ｍｅｍｂｒａｎｅ）を含み得る。このようなバイオメトリック信号は、指紋、または親指の指紋等のデジタルリーディングであり得る。典型的には、バイオメトリック回路が利用される場合、指紋測定回路は、内部電圧源（例えば、バッテリ）により電力供給され得る。この場合、スイッチは、単なる機械的デバイスではなく、電力供給されるスイッチであり得る。さらに別の例示的実施形態では、スイッチ２３０は、電池で電源供給され得るが、バイオメトリック回路は、フォブ１０２には存在しない。
【００４１】
さらに別の実施形態において、スイッチ２３０は、ロジックスイッチであり得る。スイッチ２３０がロジックスイッチである場合、スイッチ２３０制御ソフトウェアは、シーケンスコントローラ２０８から読み出されて、様々なフォブ１０２コンポーネントの起動を選択的に制御し得る。
【００４２】
図３は、本発明の例示的な実施形態に従ったＲＦＩＤリーダ１０４の例示的なブロック図を示す。ＲＦＩＤリーダ１０４は、例えば、ＲＦモジュール３０２に接続されたアンテナ１０６を含む。このアンテナは、コントロールモジュール３０４にさらに接続される。加えて、ＲＦＩＤリーダ１０４は、ＲＦＩＤリーダ１０４から遠隔に配置されたアンテナ１０８を含み得る。適切なケーブル１２０、あるいは、他の有線または無線接続を介してＲＦＩＤリーダ１０４に接続される。
【００４３】
ＲＦモジュール３０２およびアンテナ１０６は、フォブ１０２との通信を容易にするように適切に構成され得る。フォブ１０２が特定のＲＦ周波数で信号を受信するようにフォーマットされる場合、ＲＦモジュール３０２は、同じ周波数で呼びかけ信号を提供するように構成され得る。例えば、１つの例示的な実施形態において、フォブ１０２は、約１３．５６ＭＨｚの呼びかけ信号に応答するように構成され得る。この場合、ＲＦＩＤアンテナ１０６は、１３ＭＨｚであってもよく、約１３．５６ＭＨｚの呼びかけ信号を伝送するように構成されてもよい。つまり、フォブ１０２は、第１および第２のＲＦモジュール（例えば、トランスポンダ）を含むように構成され得る。ここで、第１のモジュールは、１３４ｋＨｚの周波数を用いて動作し得、第２ＲＦモジュールは、１３．５６ＭＨｚの周波数を用いて動作し得る。このＲＦＩＤリーダ１０４は、２つの受信器を含み得る。これらの２つの受信器は、１３４ｋＨｚ、１３．５６ＭＨｚまたはこれら両方の周波数を用いて動作し得る。リーダ１０４が１３４ｋＨｚの周波数で動作している場合、フォブ１０２での１３４ｋＨｚモジュールでの動作のみが可能である。リーダ１０４が１３．５６ＭＨｚ
の周波数で動作している場合、フォブ１０２で１３．５６ｋＨｚモジュールでの動作のみが可能である。ここで、リーダ１０４は、１３４ｋＨｚの周波数、１３．５６ＭＨｚＲＦモジュールの両方を支援して、このフォブ１０２は、リーダ１０４から両方の信号を受信し得る。この場合、フォブ１０２は、一方の周波数または他方の周波数の選択を優先するように構成され得、残りの周波数を拒絶する。あるいは、リーダ１０４は、呼び出しと共にフォブ１０２からの両方の周波数で信号を受信し得る。この場合、リーダ１０４は、一方または他方の周波数のセクションを優先するように構成されて、別の周波数を拒絶してもよい。
【００４４】
さらに、プロトコル／シーケンスコントローラ３１４は、ユーザに特定の取引状態を通知するオプションのフィードバック関数を含み得る。例えば、オプションのフィードバックは、ＬＥＤ、ＬＥＤスクリーンおよび／または他の視覚的ディスプレイの形式であり得る。これらは、静的な、スクローリング、フラッシングおよび／または他のメッセージおよび／または信号をライトアップまたは表示するように構成され、取引が開始される（例えば、フォブが呼び出される）、このフォブが有効である（例えば、フォブが認証される）、取引が処理されている（例えば、フォブアカウント番号がＲＦＩＤリーダによって読み出されている）および／または取引が認可または拒否される（例えば、取引が承認される、または、承認されない）ことをフォブ１０２ユーザに知らせる。このようなオプションのフィードバックは、フォブ１０２ユーザに取引状態を知らせるオーディブルインジケータによって達成されてもされなくてもよい（または、オーディブルインジケータのみを提示してもよい）。オーディブルフィードバックは、単一のトーン、多数のトーン、音楽のトーン、および／または、フォブ１０２が呼び出されるときに取引状態等を表すように構成される音声インジケータであってもよい。
【００４５】
ＲＦＩＤアンテナ１０６は、呼び出し信号を伝送して、フォブ１０２からの認可要求信号および／またはアカウントデータのうちの少なくとも１つを受信するトランスポンダ３０６と通信し得る。トランスポンダ３０６は、図２のトランスポンダ１１４と同様であるように記述され得る。特に、トランスポンダ３０６は、フォブトランスポンダ１１４に関して記述されたものと同様の様態で、ＲＦ信号をアンテナ２０２に適合するフォーマットで送信するおよび／または受信するように構成され得る。例えば、トランスポンダ３０６は、１３．５６ＭＨｚのＲＦ定格アンテナ２０２は、１３．５６ＭＨｚに互換性があり得る。同様に、トランスポンダ３０６はＩＳＯ／ＩＥＣ１４４４３規格であり、アンテナ１０６は、ＩＳＯ／ＩＥＣ１４４４３に互換性があり得る。
【００４６】
ＲＦモジュール３０２は、例えば、安全なデータベース３１０と通信し得る認証回路３０８を通信するトランスポンダ３０６を含み得る。認証回路３０８およびデータベース３１０は、図２の認証回路２１０および安全なメモリデータベース２１２に関して記述されたものと同様な記述および動作であり得る。例えば、データベース３１０は、システム１００を介してビジネスの取引をすることを認可されるフォブ１０２に対応するデータを格納し得る。データベース３１０は、ＲＦＩＤリーダ１０４がフォブデータベース２１４に格納されたフォブアカウント番号が提供されるように認可されるかどうかを認可する際に用いるために、フォブ１０２に提供するための情報を識別するＲＦＩＤリーダ１０４をさらに格納し得る。
【００４７】
認証回路３０８は、認証回路２１０と類似の記述および動作であり得る。つまり、認証回路３０８は、認証回路２１０がＲＦＩＤリーダ１０４によって提供される信号を認可するように構成され得る同様の様態で、フォブ１０２によって提供される信号を認可するように構成され得る。以下でより完全に記述されるように、フォブ１０２およびＲＦＩＤリーダ１０４は、相互の認可に関わる。このコンテキストにおいて、「相互の認可」は、フォブ１０２がＲＦＩＤリーダ１０４からの信号を認可して、ＲＦＩＤリーダ１０４がフォ
ブ１０２からの信号を認可するまでシステム１００の動作が起こらないかもしれないことを意味し得る。
【００４８】
図４は、本発明の実施形態に従う例示的な認可プロセスのフローチャートである。認可プロセスは、一方の側として描かれている。つまり、フォブ１０２がＲＦＩＤリーダ１０４を認可するときに類似したステップが続き得るが、このフローチャートは、フォブ１０２を認可するＲＦＩＤリーダ１０４のプロセスを描く。
【００４９】
記述したように、データベース２１２は、ＲＦＩＤリーダ１０４から受信された信号を暗号化または復号化する安全キーを格納し得る。例示的の認可プロセスにおいて、ＲＦＩＤリーダ１０４は、フォブ１０２を認可しており、ＲＦＩＤリーダ１０４は、フォブ１０２に認可信号を提供し得る（ステップ４０２）。呼び出し信号は、ＲＦＩＤリーダ認証回路２１０から発生したランダムコードを含み得る。このＲＦＩＤリーダ認証回路２１０は、フォブ１０２に提供され、フォブ１０２に固有の識別コードに対応する固有の暗号化キーを用いて暗号化される。例えば、プロトコル／シーケンスコントローラ３１４は、認証回路３０８を起動させるコマンドを提供し得る。認証回路３０８は、各認可信号として発生した認証コードの一部としてのランダムの数を含むフォブ呼び出し信号をデータベース３１０から提供し得る。認証コードは、ＲＦＩＤリーダ１０４およびフォブ１０２によって認識可能な（例えば、読み出し可能な）英数字コードであり得る。この認証コードは、ＲＦＩＤ  ＲＦインターフェース３０６およびアンテナ１０６（あるいは、交互のアンテナ１０８）を介してフォブ１０２に提供され得る。
【００５０】
フォブ１０２は、呼び出し信号を受信する（ステップ４０４）。認証コードを含む呼び出し信号は、アンテナ２０２を介してＲＦインターフェース１１４で受信され得る。一旦フォブ１０２が起動されると、認証コードを含む呼び出し信号は、モジュレータ／デモジュレータ回路２０６に提供され得る。ここで、この信号は、信号をプロトコル／シーケンスコントローラ２０８に提供する前にデモジュレートされ得る。プロトコル／シーケンスコントローラ２０８は、フォブ１０２の認可要求として呼び出し信号を認識し得、認証コードを認証回路２１０に提供し得る。このフォブ１０２は、次いで、認証コードを暗号化し得る（ステップ４０６）。特に、暗号化は、認証回路２１０で成され得る。この認証回路は、暗号化された認証コードをプロトコル／シーケンスコントローラ２０８に提供する前に、認証コードを受信し得、そのコードを暗号化し得る。フォブ１０２は、次いで、暗号化された認証コードをＲＦＩＤリーダ１０４に提供し得る（ステップ４０８）。つまり、暗号化された認証コードは、モジュレータ／デモジュレータ回路２０６、ＲＦインターフェース１１５（例えば、トランスポンダ１１４）およびアンテナ２０２を介してＲＦＩＤリーダ１０４に提供され得る。
【００５１】
ＲＦＩＤリーダ１０４は、次いで、暗号化された認証コードを受信し得、それを復号化し得る（ステップ４１０）。つまり、暗号化された認証コードは、アンテナ１０６で受信され得、ＲＦインターフェース３０６は、認証回路３０８に提供され得る。認証回路３０８は、データベース３１０からセキュリティ認証キー（例えば、トランスポンダシステム復号化キー）を提供され得る。認証回路は、認証キーを用い得、暗号化された認証コードを復号化（アンロックする）し得る。認証キーは、フォブ１０２の固有の識別コードに基づいて認証回路を提供され得る。例えば、暗号化された認証コードは、固有のフォブ１０２識別コードと共に提供され得る。この認証回路は、暗号化された認証コードを復号化する際に用いる固有のフォブ１０２識別コードと相関するトランスポンダシステム復号化キーをデータベース３１０から取り出す。
【００５２】
一度認証コードが復号化されると、復号化された認証コードは、ステップ４０２でＲＦＩＤリーダ１０４によって提供された認証コードと比較され、その認証性を検証する。復
号化された認証コードが認証回路によって読み出し可能（例えば、認識可能）ではない場合、フォブ１０２は、認可されていない（例えば、検証されていない）と判断され（ステップ４１６）、システム１００の動作は、終了する（ステップ４１８）。逆に、復号化された認証コードがフォブ１０２によって認識可能である（例えば、検証されている）場合、復号化された認証コードは、認証されていると判断され（ステップ４１２）、この取引は、進行可能となる（ステップ４１４）。１つの特定の実施形態において、進行している取引は、フォブ１０２がＲＦＩＤリーダ１０４を認証し得ることを意味し得る。しかし、ＲＦＩＤリーダ１０４をフォブ１０２が認証する前に、ＲＦＩＤリーダ１０４がフォブ１０２を認証し得ることは明らかである。
【００５３】
例示的な検証プロセスにおいて、認証回路３０８は、ロック解除された認証コードがステップ４０２で提供された認証コードに同一であるかどうかを決定し得る。このコードが同一ではない場合、フォブ１０２は、システム１００にアクセスするように認可されない。しかし、この認可プロセスは、同一性に関して記述されているが、同一性は必要とはされない。例えば、認証回路３０８は、復号化されたコードが認可されたフォブ１０２に一致するかどうかを判定するための任意のプロトコル、ステップまたはプロセスによって復号化されたコードを検証し得る。
【００５４】
認証回路３０８は、図２のプロトコル／シーケンスコントローラ２０８と類似した動作および記述であるプロトコル／シーケンスコントローラ３１４とさらに通信し得る。つまり、プロトコル／シーケンスデバイスコントローラ３１４は、ＲＦＩＤリーダ１０４コンポーネントの動作順序を決定するように構成され得る。例えば、図５は、例示的な決定プロセスを示し、この例示的な決定プロセスの下、プロトコル／シーケンスコントローラ３１４が動作し得る。プロトコル／シーケンスコントローラ３１４は、フォブ１０２が存在するかどうかに基づくＲＦＩＤリーダ１０４の異なるコンポーネントに命令し得る（ステップ５０２）。例えば、フォブ１０２が存在しない場合、プロトコル／シーケンスコントローラ３１４は、ＲＦＩＤリーダ１０４に命令し得、割り込みではない呼び出し信号を提供し得る（ステップ５０４）。つまり、プロトコル／シーケンスコントローラは、フォブ１０２の存在が現実となるまで、認証回路３０８に命令し得、割り込みではない呼び出し信号を提供し得る。フォブ１０２が存在する場合、プロトコル／シーケンス３１４は、ＲＦＩＤリーダ１０４に命令し得、フォブ１０２を認証し得る（ステップ５０６）。
【００５５】
上記されたように、認証は、プロトコル／シーケンスコントローラ３１４が認証回路３０８に命令し得、フォブ１０２に認証コードを提供し得ることを意味し得る。フォブ１０２から応答を受信する場合、プロトコル／シーケンスコントローラは、この応答が、認証コードを提供するＲＦＩＤリーダ１０４に対する応答であるかどうか、または、この応答が、信号が必要とする認証であるかどうかを判定する（ステップ５０８）。この信号が認証を必要とする場合、プロトコル／シーケンスコントローラ３１４は、上記のように認証回路を起動し得る（ステップ５０６）。一方、フォブ１０２が提供された認証コードに対する応答である場合、プロトコル／シーケンスコントローラ３１４は、ＲＦＩＤリーダ１０４に命令して、信号の認識を可能にするために適切な安全キーを取り出す（ステップ５１０）。つまり、プロトコル／シーケンスコントローラ３１４は、認証プロセスにおいて、認証回路３０８に命令し得、データベース３１０から安全キー（例えば、トランスポンダシステム復号化キー）を取り出し、信号を解除し、この信号とＲＦＩＤリーダ１０４によって提供された信号とを比較する（例えば、ステップ５０６）。この信号が認識される場合、プロトコル／シーケンスコントローラ３１４は、フォブ１０２がシステム１００にアクセスするように認可されることを決定し得る。この信号が認識されない場合、フォブ１０２は、認可されていないと考えられる。いずれの場合においても、プロトコル／シーケンスコントローラ３１４は、ＲＦＩＤコントローラに命令し得、認可されたフォブを呼び出し得る（ステップ５０４）。
【００５６】
一度、フォブ１０２が認可されることをプロトコル／シーケンスコントローラが決定すると、プロトコル／シーケンスコントローラ３１４は、さらなる信号がフォブ１０２によって送られているかどうかを判定することを求め得る（ステップ５１４）。フォブ１０２によってさらなる信号が提供されない場合、プロトコル／シーケンスコントローラ３１４は、ＲＦＩＤリーダ１０４の全てのコンポーネントを提供して、信号が提供される時間まで、アイドルのままにし得る（ステップ５１６）。逆に、さらなるフォブ１０２信号が提供される場所では、プロトコル／シーケンスコントローラ３１４は、フォブ１０２がセールターミナル１１０（例えば、ＰＯＳデバイス）の商取引ポイントへのアクセスを要求しているかどうか、または、フォブ１０２がリターン（例えば、相互の）認証のためにＲＦＩＤリーダ１０４を呼び出そうとしているかどうかを判定し得る（ステップ５１８）。このフォブ１０２がセールターミナル１１０の商取引ポイントへのアクセスを要求している場所では、プロトコル／シーケンスコントローラ３１４は、ＲＦＩＤリーダに命令して、セールターミナル１１０のポイントと通信し得る（ステップ５２４）。特に、プロトコル／シーケンスコントローラは、セールターミナル通信インターフェース３１２のポイントに命令して、アクティブになり得、ＲＦＩＤリーダ１０４とセールターミナル１１０の商取引ポイントとの間の伝送を可能にし得る。
【００５７】
他方では、プロトコル／シーケンスコントローラは、フォブ１０２信号が相互の呼び出し信号であることを決定する場合、プロトコル／シーケンスコントローラは、ＲＦＩＤリーダ１０４に命令して、その信号を暗号化し得る（ステップ５２０）。このプロトコル／シーケンスコントローラ３１４は、暗号化認証回路３１８に命令して、フォブ１０２の相互呼び出し信号に応答して、データベース３２０から適切な暗号化キーを取り出し得る。このプロトコル／シーケンスコントローラ３１４は、次いで、ＲＦＩＤリーダ１０４に命令して、暗号化された相互の呼び出し信号をフォブ１０２に提供し得る。このプロトコル／シーケンスコントローラ３１４は、認証回路３１８に命令して、暗号化された相互の呼び出し信号をフォブ１０２に提供して、相互に認証し得る。フォブ１０２は、次いで、暗号化した相互の呼び出し信号を取り出し得、認証回路２１２からＲＦＩＤリーダ復号化キーを取り出し得る。
【００５８】
プロトコル／シーケンスコントローラ３１４の例示的な決定プロセスが記載されているが、フォブ１０２のコンポーネントを制御する際に、プロトコル／シーケンスコントローラ２０８によって、類似した決定プロセスが行われ得ることは、当業者に認識されるべきである。確かに、上記のように、プロトコル／シーケンスコントローラ３１４は、プロトコル／シーケンスコントローラ２０８と類似した動作および設計を有し得る。さらに、上において、プロトコル／シーケンスコントローラ２０８および３１４は、決定の際に、ＵＳＢインターフェース２２２および３１６を可能にする適切なコマンドを、対応するデバイスがそのように接続されるときに、組み込み得る。
【００５９】
暗号化／復号化コンポーネント３１８は、安全なアカウント番号のデータベース３２０とさらに通信し得る。この安全なアカウント番号データベース３２０は、暗号化されたフォブアカウント番号に必要な安全なキーを格納する。プロトコル／シーケンスコントローラ３１４から適切に要求されると、暗号化／復号化コンポーネント（例えば、回路３１８）は、適切な安全なキーを取り出し、フォブアカウント番号を復号化して、任意の後の接続されたＰＯＳデバイス１１０によって任意の読み出し可能なフォーマットでプロトコルシーケンスコントローラ３１４に復号化されたアカウント番号を転送し得る。１つの例示的な実施形態において、アカウント番号は、ＩＳＯ／ＩＥＣ７８１３規格と互換性のある従来の磁気ストリップフォーマットで転送され得る。磁気ストリップフォーマットでアカウント番号を受信すると、プロトコル／シーケンスコントローラ３１４は、図１に最もよく示されたように、アカウント番号を通信インターフェース３１２およびデータリンク１
２２を介してＰＯＳデバイス１１０に転送し得る。ＰＯＳデバイス１１０は、復号化されたアカウント番号を受信し得、通常の規格として商取引ビジネスの下でのプロセスとして、磁気ストリップでフォーマットされたアカウント番号を商取引ネットワーク１１２に転送し得る。このように、本発明は、第３者のサーバを必要としない。さらに、ＰＯＳデバイス１１０がネットワーク１１２（例えば、認可された取引、または、否定された取引）から応答を受信する場所では、プロトコル／シーケンスコントローラ３１４は、ネットワークフォブ１０２ユーザへの応答と光学的におよび／または音響的に通信するＲＦモジュール３０２へのネットワーク応答を提供し得る。
【００６０】
ＲＦＩＤリーダ１０４は、プロトコル／シーケンスコントローラ３１４と通信するＵＳＢインターフェース３１６をさらに含む。１つの実施形態において、ＵＳＢインターフェースは、ＲＳ２２シリアルデータインタフェースであり得る。あるいは、ＲＦＩＤリーダ１０４は、例えば、プロトコル／シーケンスコントローラ３１４と通信するＲＳ２３２等のシリアルインターフェースを含み得る。このＵＳＢコントローラ３１６は、ＲＦＩＤリーダ１０４をシステム１００適応パラメータに対して初期化するパーソナリゼーションシステム１１６（図１Ｂに示される）と通信し得る。つまり、システム１００の動作前に、ＲＦＩＤリーダ１０４は、認可されたフォブ１０２に属する安全キーのリストをデータベース３１０に集めて、アカウント番号をＩＳＯ／ＩＥＣ７８１３フォーマットに置き換えるフォブ１０２アカウント番号を復号化する安全キーのリストをデータベース３２０に集めるパーソナリゼーションシステム１１６と通信し得る。この様態で、ＲＦＩＤリーダ１０４は、フォブ認証回路２１０によって用いられ得る固有の識別子（例えば、シリアル番号）が集められて、ＲＦＩＤリーダ１０４がフォブ１０２の暗号化されたアカウント番号を受信するように認可されるかどうかを決定し得る。
【００６１】
図１Ｂは、本発明に従う例示的なパーソナリゼーションシステム１００Ｂを示す。概して、典型的なパーソナリゼーションシステム１００Ｂは、システム１００Ａを用いる際のＲＦＩＤリーダ１０４およびフォブ１０２を初期化する任意のシステムであり得る。図１Ｂを参照して、フォブ１０２に対する類似したパーソナリゼーションプロセスが図示され得る。例えば、パーソナリゼーションシステム１１６は、固有のＲＦＩＤリーダ１０４識別子の認証を容易にする安全キーでフォブデータベース２１２に集めるＲＦ  ＩＳＯ  １４４４３インターフェース１１４を介してフォブ１０２を通信し得る。さらに、パーソナリゼーションシステム１１６は、フォブ１０２がシステム１００にアクセスするように認証されるかどうかを判定する際に、ＲＦＩＤリーダ１０４によって用いるための固有のフォブ１０２識別子をデータベース２１２上に集め得る。パーソナリゼーションシステム１１６は、後に認証されたＲＦＩＤリーダ１０４に提供するために、暗号化されたフォブ１０２アカウント番号をフォブデータベース２１４に集め得る（例えば、入れ得る）。
【００６２】
１つの例示的な実施形態において、パーソナリゼーションシステム１１６は、上記された任意の標準の計算システムを含み得る。例えば、パーソナリゼーションシステム１１６は、任意の従来のグラフィックユーザインタフェースを用いて動作可能なハードウェアセキュリティモジュールを含む標準のパーソナルコンピュータを含み得る。安全キー情報アカウント番号および固有の識別情報をフォブ１０２またはＲＦＩＤリーダ１０４に集める前に、ハードウェアセキュリティモジュールは、フォブ１０２およびＲＦＩＤリーダ１０４を認証して、コンポーネントが安全な情報を受信するように認可されることを検証し得る。
【００６３】
図６Ａ〜Ｂは、フォブ１０２および／またはＲＦＩＤリーダ１０４をパーソナライズするために用いられ得るパーソナリゼーション手順の例示的なフローチャートを示す。以下の記述は、フォブ１０２のパーソナリゼーションを主に説明しているが、ＲＦＩＤリーダ１０４が類似のプロセスを用いてパーソナライズされ得る。このパーソナリゼーションプ
ロセスは、パーソナリゼーションシステム１１６とパーソナライズされるデバイス（例えば、フォブ１０２またはＲＦＩＤリーダ１０４）との間で起こり、例えば、ステップ６０２で開始し得る。ＲＦＩＤリーダ１０４と相互に認証するフォブ１０２に関して上記されたものと大部分が同じ様態で、パーソナリゼーションシステム１１６と認証されるデバイスとの間で相互の認証が起こり得る。つまり、パーソナリゼーションシステム１１６は、パーソナリゼーションシステム１１６の識別子を、認証されるデバイスに伝送し得、このデバイスは、デバイスデータベース２１０、３１０に格納されたパーソナリゼーションシステム識別子に対して、デバイス認証回路２１０、３０８によって比較される。マッチングが起こらないとき（ステップ６０４）、このパーソナリゼーションプロセスは、アボートされ得る（ステップ６１２）。マッチングが起こるとき（ステップ６０４）、このパーソナリゼーションシステムは、パーソナライズされるデバイスに提供されるパーソナリゼーションファイルを用意し得る（ステップ６０６）。このパーソナリゼーションシステムが手動で動作される場合、このパーソナリゼーションファイルは、例えば、キーボード等の任意の適切なインターフェースを用いて、パーソナリゼーションシステム１１６に入力され得る（ステップ６０６）。このパーソナリゼーションシステム１１６オペレータは、パーソナリゼーションファイルの準備を遅延させることを選択して、このシステム１１６は、パーソナリゼーションプロセスをアボートし得る（ステップ６１０）。このコンテキストにおいて、パーソナリゼーションファイルは、固有のフォブ１０２またはＲＦＩＤリーダ１０４識別子、データベース２１２および３１０にロードする安全キー、および／または、データベース３２０にロードされ得るフォブアカウント番号を復号化する安全キーを含み得る。
【００６４】
フォブ１０２は、ＲＦ  ＩＳＯ／ＩＥＣ１４４４３インターフェース１１４を介してパーソナリゼーションシステム１１６へ直接接続することによってパーソナライズされ得る。あるいは、フォブ１０２は、ＲＦＩＤリーダ１０４を用いてパーソナライズされてもよい。パーソナライズゼーションシステム１１６およびＲＦＩＤリーダ１０４は、相互の認証にかかわり得、ＲＦＩＤリーダ１０４は、ＲＦを介してフォブパーソナリゼーションファイルをフォブ１０２に伝送するように構成され得る。一度フォブ１０２がパーソナリゼーションのためにＲＦＩＤリーダ１０４に提示されると（ステップ６０８、６１４）、フォブ１０２およびＲＦＩＤリーダ１０４は、相互の認証にかかわり得る（ステップ６１４）。フォブ１０２がパーソナリゼーションのためにＲＦＩＤリーダ１０４に提示されない場合、このパーソナリゼーションプロセスは、アボートされ得る（ステップ６１０）。
【００６５】
フォブ１０２が検出される場合、パーソナリゼーションシステム１１６は、フォブ１０２に提供する固有の識別子をパーソナリゼーションファイルの一部として生成し得る（ステップ６１６）。この識別子は固有である。ある識別子は、単一のフォブに対してのみ与えられ得るという理由から、同じ識別子を有しているフォブはない。このフォブは、次いで、構成され得、この識別子でロードされ得る（ステップ６１８）。
【００６６】
暗号化されたフォブ１０２アカウント番号は、フォブ１０２の固有の識別子に関して記載されたものと同じ様態でフォブ１０２に集められ得る。つまり、パーソナリゼーションシステム１１６は、アカウントデータを予め暗号化し得（ステップ６４０）、この暗号化されたアカウントをフォブデータベース２１４に入れる（ステップ６２２）。この暗号化されたアカウントデータは、上記したようにＲＦＩＤリーダ１０４を用いてフォブ１０２にロードされ得る（例えば、入れられ得る）。
【００６７】
一度パーソナリゼーションファイルがフォブ１０２に集められると、集められた情報は、変更、認証されないままの読み出し、および／または、認証されないままのアクセスを防ぐように不可逆にロックされる（ステップ６２４）。パーソナリゼーションシステム１１６は、次いで、パーソナリゼーションシステム１１６ユーザによる後のアクセスおよび
解析のためにパーソナリゼーションファイル情報のログを生成し得る（ステップ６２６）。
【００６８】
パーソナリゼーションシステム１１６プロセスがコンプロマイズされるか割り込みされる（ステップ６２８）イベントで、パーソナリゼーションシステムは、セキュリティ警告をユーザに送り得（ステップ６３０）、このパーソナリゼーションプロセスは、アボートされ得る（ステップ６１２）。他方では、このようなコンプロマイズまたは割り込みは存在せず、パーソナリゼーションシステムは、パーソナライズされる第２のデバイスで初期化を開始するように準備され得る（ステップ６３２）。
【００６９】
図７Ａ〜Ｂは、ＲＦＩＤリーダ１０４をパーソナライズするように用いられ得るパーソナリゼーションプロセスの別の例示的な実施形態を示す。ＲＦＩＤリーダ１０４は、ＲＦＩＤリーダＵＳＢ接続３１６を介してパーソナリゼーションシステム１１６と通信し得る（ステップ７０２）。一度接続されると、パーソナリゼーションシステム１１６は、ＲＦＩＤリーダ１０４との通信を構築し得、ＲＦＩＤリーダ１０４は、ＲＦＩＤリーダ１０４に現在格納されている任意のＲＦＩＤリーダ１０４識別データをパーソナリゼーションシステム１１６に提供し得る（ステップ７０４）。ステップ７０８に従って、ＲＦＩＤリーダ１０４が最初の時間にパーソナライズされる（ステップ７０６）と、ＲＦＩＤリーダ１０４およびパーソナリゼーションシステム１１６は、図６Ａ〜Ｂに関して上記されたように相互の認証にかかわり得る。相互の認証が完了した後、パーソナリゼーションシステム１１６は、ＲＦＩＤリーダ１０４が、適切に作られるか、システム１００なしで動作するように構成されていることを検証する。この検証は、ＲＦＩＤリーダが所定の初期設定を受け入れるかどうかを判定することによって、ＲＦＩＤリーダ１０４の動作を評価することを含み得る。つまり、このパーソナリゼーションシステム１１６は、ＲＦＩＤリーダ１０４に初期設定のセットを提供し得（ステップ７０８）、ＲＦＩＤリーダ１０４がこれらの設定を受け入れるかどうかを判定し得る（ステップ７１２）。ＲＦＩＤリーダ１０４がこの初期設定を受け入れない場合、パーソナリゼーションシステム１１６は、このパーソナリゼーションプロセスをアボートし得る（ステップ７１４）。
【００７０】
このパーソナリゼーションプロセスがＲＦＩＤリーダ１０４によって行われた第１のパーソナリゼーションプロセスではないとパーソナリゼーションシステム１１６が判定する場合（ステップ７０６）、パーソナリゼーションシステム１１６およびＲＦＩＤリーダ１０４は、ＲＦＩＤリーダ１０４上にすでに格納されている存在する安全キーを用いて相互の認証プロセスにかかわり得る（ステップ７１０）。認証が成功しない場合（ステップ７１２）、このパーソナリゼーションシステムは、このパーソナリゼーションプロセスをアボートし得る（ステップ７１４）。
【００７１】
このパーソナリゼーションシステム１１６およびＲＦＩＤリーダ１０４が首尾良く相互に認証すると、パーソナリゼーションシステム１１６は、ＲＦＩＤリーダ１０４安全キーを更新し得る（ステップ７１６）。安全キーの更新は、システム１００マネージャによって決定されたように、任意の時間で行われ得る。この更新は、ルーチンメンテナンスの一部として行われ得、単に、現在の安全キーデータをインストールしてもよい。この更新は、ファームウェアをＲＦＩＤリーダ１０４にダウンロードすることによって実行されてもよい（ステップ７１８）。ＲＦＩＤリーダ１０４が初期のパーソナリゼーションを行っているとパーソナリゼーションシステムがステップ７０６で決定する場合、このファームウェアは、最初の時間にＲＦＩＤリーダ１０４にロードされ得る。このコンテキストで、「ファームウェア」は、ＲＦＩＤリーダ１０２をシステム１００のガイドラインで動作可能とする任意のファイルを含み得る。例えば、このようなガイドラインは、ＲＦＩＤリーダプロトコル／シーケンスコントローラ３１４の動作に関してもよい。
【００７２】
パーソナリゼーションシステム１１６は、このパーソナリゼーションキー（例えば、安全キー、暗号化キー、ＲＦＩＤ識別子）が更新される必要があるかどうか、または、ＲＦＩＤリーダ１０４が初期のインストール、または、パーソナリゼーションキーを有する必要があるかどうかを判定し得る（ステップ７３０）。必要がある場合、パーソナリゼーションシステム１１６は、このパーソナリゼーションキーを適切にダウンロードし得る（ステップ７２２）。
【００７３】
パーソナリゼーションシステム１１６は、ＲＦＩＤリーダ１０４をチェックして、フォブ１０２識別子および対応する安全キーが更新される、または、最初にロードされるかを判定し得る（ステップ７２４）。更新が必要ではない場合、パーソナリゼーションシステムは、パーソナリゼーション手順を終了し得る（ステップ７３２）。逆に、フォブ１０２識別子および対応するキーが更新される、または、インストールされる必要がある場合、パーソナリゼーションシステム１１６は、この情報をＲＦＩＤリーダ１０４にダウンロードし得る（ステップ７２６）。この情報（例えば、フォブ安全キーおよび識別子）は、暗号化されたフォーマットでダウンロードされ得、ＲＦＩＤリーダ１０４は、ＲＦＩＤリーダデータベース３１０に適切にこの情報を格納し得る（ステップ７２８）。このパーソナリゼーションシステムは、パーソナリゼーションシステム１１５ユーザによって後に用いられて、解析されるためにステータスログカタロギングを生成する、または、更新し得る（ステップ７３０）。ステータスログを更新すると、パーソナリゼーションプロセスが終了され得る（ステップ７３２）。
【００７４】
いくつかの場合では、上記されたものと類似した様態でＲＦＩＤリーダを再パーソナライズする必要があり得ることは留意すべきである。この場合、図７Ａおよび７Ｂに記載されたパーソナリゼーション法は、繰り返さ得る。
【００７５】
図８は、システム１００Ａの動作を示す例示的なフロー図である。この動作は、図１Ａを参照して理解され得る。図１Ａは、例示的な取引で用いられ得るシステム１００Ａの要素を示す。このプロセスは、顧客が支払いのためにフォブ１０２を提示することを望むときに開始される（ステップ８０２）。フォブ１０２を提示すると、この商取引は、ＲＦＩＤリーダ１０４を介してＲＦ支払い手順を開始する（ステップ８０４）。特に、ＲＦＩＤリーダは、呼び出し信号を送り出して、フォブ１０２を提示するためにスキャンする（ステップ８０６）。このＲＦ信号は、ＲＦＩＤリーダアンテナを介して、または、選択的に外部アンテナ１０８を介して提示され得る。顧客は、支払いのためにフォブ１０２を提示し得（ステップ８０８）、フォブ１０２は、提供されたＲＦ呼び出し信号によって起動される。
【００７６】
フォブ１０２およびＲＦＩＤリーダ１０４は、相互の認証にかかわり得る（ステップ８１０）。相互の認証が成功すると、エラーメッセージがＲＦＩＤ光学的および／または音響的インジケータを介して顧客に提供され得（ステップ８１４）、次いで、取引がアボートされ得る（ステップ８１６）。相互の認証が成功すると（ステップ８１４）、ＲＦＩＤリーダ１０４は、顧客に適切な光学的および／または音響的メッセージ（例えば、「取引処理しています」または「待機しています」）を提供し得る（ステップ８１８）。このフォブプロトコル／シーケンスコントローラ２０８は、暗号化されたフォブアカウント番号をデータベース２１４から取り出し得、暗号化されたアカウント番号をＲＦＩＤリーダ１０４に提供し得る（ステップ８２０）。
【００７７】
ＲＦＩＤリーダ１０４は、アカウント番号を復号化し得、そのアカウント番号を磁気ストライプ（ＩＳＯ／ＩＥＣ７８１３）のフォーマットに変換し得（ステップ８２２）、そして、暗号化されていないアカウント番号を商取引システム１３０に提供する（ステップ８２８）。特に、このアカウント番号は、公知のビジネス取引基準の下に処理する商取引
きネットワーク１１２に伝送するためにＰＯＳ１１０デバイスに提供され得る。ＰＯＳデバイス１１０は、次いで、顧客と通信する（ステップ８３２）ために、光学的および／または音響的取引状態メッセージをＲＦＩＤリーダ１０４（ステップ８３０）に送り得る。
【００７８】
フォブ１０２に関連する取引アカウントは、例えば、１回の購入限度、１日のうちの使用する回数、１週間のうちの使用する日数、特定の商取引の使用および／またはこれらに類似のもの等の制限を含み得ることに留意すべきである。ここでは、制限外のフォブを用いる場合には、さらなる検証が必要となる。この制限は、フォブ１０２ユーザまたはアカウントプロバイダによって個人的に割り当てられ得る。例えば、１つの例示的な実施形態では、アカウントが構築され得、これにより、＄Ｘ（すなわち、費やす時間制限）を越えての購入が顧客によって検証される必要がある。このような検証は、適切な個人識別番号（ＰＩＮ）を用いて提供され得る。このＰＩＮは、ＲＦＩＤリーダ１０４または支払い認証センター（図示せず）によって、フォブ１０２保持者（例えば、顧客）および相関するフォブ１０２取引アカウント番号に固有であるとして認識され得る。要求された購入が、設定された１回の購入限度を越えると、その顧客は、取引を完全にするために、例えば、ＰＩＮ、バイオメトリックサンプルおよび／または類似の第２の検証を提供するように要求され得る。
【００７９】
検証ＰＩＮが第２の検証として用いられると、この検証ＰＩＮは、フォブ１０２取引アカウント番号に相関する確証ＰＩＮに対して正確さをチェックされ得る。この確証ＰＩＮは、ローカルに（例えば、フォブ１０２上に、または、ＲＦＩＤリーダ１０４上に）格納され得る、または、支払い認証センタでデータベース（図示せず）上に格納され得る。この支払い認証センタのデータベースは、フォブ１０２の取引アカウントプロバイダによって維持されて、動作される任意のデータベースであり得る。
【００８０】
この検証ＰＩＮは、図１で示されたＰＯＳデバイス１１０と通信する従来の商取引（例えば、ＰＯＳ）ＰＩＮキーパッド１１８を用いて、または、ＲＦＩＤリーダ１０４と通信するＲＦＩＤキーパッドを用いて、ＰＯＳデバイス１１０に提供され得る。ＰＩＮキーパッドは、上記の任意の従来のデータリンクを用いて、ＰＯＳデバイス１１０（あるいは、ＲＦＩＤリーダ１０４）と通信し得る。検証ＰＩＮを受信すると、ＲＦＩＤリーダ１０４は、データベース３２０または３２０におけるＲＦＩＤリーダ１０４に格納された対応するＰＩＮとＰＩＮをマッチングさせようとし得る。あるいは、検証ＰＩＮは、支払い認証センタに提供され得、フォブ１０２アカウントと相関する支払い認証センターデータベースに格納されたＰＩＮとＰＩＮがマッチングするかどうかを判定する。マッチングがなされる場合、この購入は、これ以上制限され得ず、この取引が完了することを許可され得る。
【００８１】
別の実施形態において、設定された消費制限を超える購買の検証は、フォッブ１０２に含まれるバイオメトリック回路を含み得る。図９は、フォッブ１０２の例を示す模式ブロック図である。ここで、フォッブ１０２はバイオメトリックセキュリティシステム９０２を含む。バイオメトリックセキュリティシステム９０２は、フォッブ１０２ユーザの指紋をセンシングするためのバイオメトリックセンサ９０４を含み得る。バイオメトリックセンサ９０２は、センサ指紋を受信し、かつフォッブ１０２の動作をアクティブにするためのセンサインタフェース／ドライバ９０６と通信し得る。バイオメトリックセキュリティシステムの構成要素を動作させるために必要なパワーを提供するためのバッテリ９０３は、バイオメトリックセンサ９０４およびセンサインタフェース９０６と通信し得る。
【００８２】
バイオメトリックセキュリティシステム９０２を含むフォッブ１０２のアプリケーションの１つの例において、顧客は、指をバイオメトリックセンサ上に置き、フォッブ１０２とＲＦＩＤリーダとの間の相互認証プロセスを開始するか、またはユーザアイデンティテ
ィティの第２検証を提供する。センサ指紋は、デジタル化され、そしてフォッブ１０２上に含まれるデータベース（例えば、セキュリティデータベース２１２）に格納されたデジタル化指紋と比較され得る。そのような比較ステップは、プロトコル／シーケンスコントローラ２０８によって制御され得、かつ認証回路２１０によって確認され得る。そのような検証がなされた場合、フォッブ１０２とＲＦＩＤリーダ１０４との間の相互認証が開始し得、そしてしたがってトランザクションが進行し得る。あるいは、比較は、フォッブ１０２トランザクションアカウントプロバイダシステム（図示せず）によって維持されるデータベース上に格納されたデジタル化指紋となされ得る。デジタル化指紋は、ＰＩＮに関して上記した方法と全く同じ方法で検証され得る。
【００８３】
バイオメトリックセキュリティシステム９０２を含むフォッブ１０２のアプリケーションの１つの例において、システム９０２は、設定された購買当たりの消費制限を超える購買を認証するために使用され得る。この場合、顧客が意図する購買が消費制限を超える場合、顧客は、購買が認証されることの保証を提供するように要求され得る。したがって、顧客は、そのような検証を、指をバイオメトリックセンサ９０４上に置くことによって提供し得る。次いで、バイオメトリックセンサ９０４は、指紋をデジタル化し、そして上記のようにデジタル化指紋を検証のために提供し得る。一旦検証されると、フォッブ１０２は、トランザクション認証信号を、ＲＦＩＤリーダ１０４へ送信するためのＲＦトランスポンダ２０２（またはあるいはトランスポンダ２２０）に提供し得る。次いで、ＲＦＩＤリーダ１０４は、従来のＰＩＮ駆動システムを用いてなされたのと同様にトランザクション認証信号をＰＯＳデバイス１１０に提供し得、かつＰＯＳデバイス１１０は、通常の基準としての商取引ビジネス下にトランザクションを処理し得る。
【００８４】
本発明の実施形態例の上記詳細な記載は、実施形態例を例示する添付の図面を参照する。これらの実施形態例は当業者が本発明を実施し得る程度に十分に詳細に記載されるが、他の実施形態が実現され得、かつ論理的および機械的変更が本発明の精神および範囲を逸脱せずになされ得ることが理解されるべきである．したがって、上記詳細な記載は、例示のみを目的として提供され、制限を目的とせず、かつ本発明の範囲は、添付の特許請求の範囲および上記記載を考慮して適切に読める場合の法的均等物によってのみ定義される。例えば、方法またはプロセス請求項のいずれに記載のステップも、いずれの順序でも実行され得、かつ提示の順序に制限されない。
【図面の簡単な説明】
【００８５】
【図１Ａ】図１Ａは、フォブ取引完了のために利用される例示的コンポーネントが示される、本発明による例示的ＲＦＩＤベースのシステムを示す。
【図１Ｂ】図１Ｂは、本発明による例示的パーソナリゼーションシステムを示す。
【図２】図２は、本発明による例示的フォブの概略図である。
【図３】図３は、本発明による例示的ＲＦＩＤリーダの概略図である。
【図４】図４は、本発明による例示的認証の例示的フロー図である。
【図５】図５は、本発明によるプロトコル／シーケンスコントローラのための例示的決定プロセスの例示的フロー図である。
【図６Ａ】図６Ａは、本発明によるフォブパーソナリゼーションプロセスの例示的フロー図である。
【図６Ｂ】図６Ｂは、本発明によるフォブパーソナリゼーションプロセスの例示的フロー図である。
【図７Ａ】図７Ａは、本発明によるＲＦＩＤリーダパーソナリゼーションの例示的フロー図である。
【図７Ｂ】図７Ｂは、本発明によるＲＦＩＤリーダパーソナリゼーションの例示的フロー図である。
【図８】図８は、本発明による例示的支払い／取引プロセスのフロー図である。
【図９】図９は、本発明による例示的フォブの別の概略図である。
【図１Ａ】
2007066316.tif 000003
【図１Ｂ】
2007066316.tif 000004
【図２】
2007066316.tif 000005
【図３】
2007066316.tif 000006
【図４】
2007066316.tif 000007
【図５】
2007066316.tif 000008
【図６Ａ】
2007066316.tif 000009
【図６Ｂ】
2007066316.tif 000010
【図７Ａ】
2007066316.tif 000011
【図７Ｂ】
2007066316.tif 000012
【図８】
2007066316.tif 000013
【図９】
2007066316.tif 000014